(57)【要約】【課題】タンク内の排泄物の飛散が抑制される排泄物処理方法を提供する。【解決手段】おむつ３の股部３ｃに形成された開口を塞ぐカップ７を介して吸引された排泄物等１０１をタンク２５に貯留する排泄物処理方法は、タンク２５内に、排泄物のジェル化及び排泄物の粘度の増加の少なくとも一方の作用を生じる処理剤１０３を配置する手順を有する。【選択図】図２
2016034422.tif 000002
【特許請求の範囲】
【請求項１】
おむつの股部に形成された開口を塞ぐカップを介して吸引された排泄物をタンクに貯留する排泄物処理方法であって、
前記タンク内に、排泄物のジェル化及び排泄物の粘度の増加の少なくとも一方の作用を生じる処理剤を配置する
排泄物処理方法。
【請求項２】
前記タンクの壁部又は前記タンク内にて高さ方向に延びる部材に前記処理剤を保持させることにより、高さ方向の複数位置乃至は所定範囲に亘って前記処理剤を配置する
請求項１に記載の排泄物処理方法。
【請求項３】
前記処理剤を内包する水溶性の複数の処理剤用袋を前記タンクの壁面又は前記タンク内にて高さ方向に延びる部材に貼り付ける
請求項２に記載の排泄物処理方法。
【請求項４】
前記タンク内に不透水性の排泄物用袋を配置し、前記排泄物用袋内に前記処理剤を配置する
請求項１〜３のいずれか１項に記載の排泄物処理方法。
【請求項５】
前記排泄物用袋として、逆流防止機能を有する流入部を有するものを用い、
前記流入部から前記排泄物用袋内へ排泄物を流入させるように前記排泄物用袋を前記タンク内に配置する
請求項４に記載の排泄物処理方法。
【請求項６】
おむつの股部に形成された開口を塞ぐカップと、
前記カップから排泄物を吸引し、吸引した排泄物をタンクに貯留する装置本体と、
を有し、
前記タンク内に、排泄物のジェル化及び排泄物の粘度の増加の少なくとも一方の作用を生じる処理剤が配置されている
排泄物処理装置。
【発明の詳細な説明】
【技術分野】
【０００１】
本発明は、寝たきりの老人や病人等に利用される、排泄物を自動的に処理するための排泄物処理方法及び排泄物処理装置に関する。
【背景技術】
【０００２】
排泄物の処理に係る介護の負担を軽減するための装置として、股部に開口が形成されたおむつの前記開口を塞ぐようにおむつが着脱されるカップと、このカップとホースを介して接続され、おむつの開口を介して、排泄物の吸引、並びに、股間等の洗浄及び乾燥を行う装置本体とを有する排泄物処理装置が知られている（例えば特許文献１）。
【０００３】
カップを介して吸引された排泄物は、排泄物処理装置の装置本体に設けられたタンクに貯留される。このタンクは、装置本体の筐体に対して着脱可能とされている。そして、タンクに貯留された排泄物は、例えば、タンクの運搬によって便所へ運ばれて流される。
【０００４】
なお、排泄物処理装置に係る技術ではないが、排泄物をジェル化させるための吸水性ポリマーを有する携帯型便所（袋）が知られている（例えば特許文献２）。
【先行技術文献】
【特許文献】
【０００５】
【特許文献１】特開２０００−２３２９８６号公報
【特許文献２】特開２００９−２８５０１９号公報
【発明の概要】
【発明が解決しようとする課題】
【０００６】
従来の排泄物処理装置では、タンクを運搬したり、タンクから排泄物を流したりするときに、排泄物が飛散するおそれがあった。排泄物の飛散は、単に不潔ということに留まらず、衛生面においても好ましくない。
【０００７】
従って、タンク内の排泄物の飛散が抑制される排泄物処理方法及び排泄物処理装置が提供されることが望まれる。
【課題を解決するための手段】
【０００８】
本発明の一態様に係る排泄物処理方法は、おむつの股部に形成された開口を塞ぐカップを介して吸引された排泄物をタンクに貯留する排泄物処理方法であって、前記タンク内に、排泄物のジェル化及び排泄物の粘度の増加の少なくとも一方の作用を生じる処理剤を配置する。
【０００９】
好適には、前記タンクの壁部又は前記タンク内にて高さ方向に延びる部材に前記処理剤を保持させることにより、高さ方向の複数位置乃至は所定範囲に亘って前記処理剤を配置する。
【００１０】
好適には、前記処理剤を内包する水溶性の複数の処理剤用袋を前記タンクの壁面又は前記タンク内にて高さ方向に延びる部材に貼り付ける。
【００１１】
好適には、前記タンク内に不透水性の排泄物用袋を配置し、前記排泄物用袋内に前記処理剤を配置する。
【００１２】
好適には、前記排泄物用袋として、逆流防止機能を有する流入部を有するものを用い、前記流入部から前記排泄物用袋内へ排泄物を流入させるように前記排泄物用袋を前記タンク内に配置する。
【００１３】
本発明の一態様に係る排泄物処理装置は、おむつの股部に形成された開口を塞ぐカップと、前記カップから排泄物を吸引し、吸引した排泄物をタンクに貯留する装置本体と、を有し、前記タンク内に、排泄物のジェル化及び排泄物の粘度の増加の少なくとも一方の作用を生じる処理剤が配置されている。
【発明の効果】
【００１４】
上記の手順又は構成によれば、タンク内の排泄物の飛散が抑制される。
【図面の簡単な説明】
【００１５】
【図１】本発明の第１の実施形態に係る排泄物処理装置の概略構成を示す模式図。
【図２】図２（ａ）〜図２（ｃ）は図１の排泄物処理装置のタンクの使用態様を説明するための模式的な断面図。
【図３】図３（ａ）〜図３（ｃ）は第２の実施形態に係るタンクの使用態様を説明するための模式的な断面図。
【図４】図４（ａ）及び図４（ｂ）は第３及び第４の実施形態に係るタンクの使用態様を説明するための模式的な断面図。
【発明を実施するための形態】
【００１６】
以下、図面を参照して、本発明の実施形態について説明する。なお、第２の実施形態以降において、既に説明した実施形態と同一又は類似の構成については、同一の符号を付すことがあり、また、説明を省略することがある。
【００１７】
＜第１の実施形態＞
図１は、本発明の第１の実施形態に係る、おむつ付排泄物処理装置１の概略構成を示す模式図である。
【００１８】
おむつ付排泄物処理装置１は、おむつ３と、おむつ３に形成された開口（後述するカップ７に隠れて不図示）を介して、排泄物の吸引、股間等の洗浄及び乾燥を行う排泄物処理装置５とを有している。
【００１９】
おむつ３は、例えば、使い捨ておむつによって構成されており、特に図示しないが、おむつの外面及び内面を構成する紙などの素材と、その素材間に配置された吸水性ポリマーとを有している。おむつ３は、いわゆるテープ止めタイプ、パンツタイプ、フラットタイプ等のいずれのタイプのものであってもよい。図１では、テープ止めタイプのものを例示している。
【００２０】
おむつ３は、人の下腹部を覆う腹部３ａと、尻を覆う尻部３ｂと、股間を覆う股部３ｃとを有している。股部３ｃには、不図示の開口が形成されている。開口の形状及び大きさは、適宜に設定されてよい。また、開口は、おむつ３を平面に展開したときに面積を有するものであってもよいし、単なる切り込みのように面積を有さないものであってもよいし、塞がれてしまうものであってもよい。
【００２１】
排泄物処理装置５は、例えば、おむつ３が着脱されるカップ７と、複数のホース９及びケーブル１１を介してカップ７に接続された装置本体１３とを有している。
【００２２】
カップ７は、例えば、側方から見て概略Ｌ字状に形成されており、おむつ３の開口を塞ぐカップ本体７ａと、カップ本体７ａに連続し、人の腰を支える支持板（おむつ３に隠れて不図示）とを有している。カップ本体７ａの、おむつ３の開口に対向する側には不図示の凹部が形成されている。
【００２３】
装置本体１３は、例えば、カップ７内の排泄物等を吸引用のホース９を介して吸引する吸引部１５と、股間等を洗浄するために送水用のホース９を介してカップ７内へ送水を行う送水部１７と、洗浄された股間等を乾燥等させるために送風用のホース９を介してカップ７内へ送風を行う送風部１９と、これらの動作を制御する制御部２１とを有している。
【００２４】
吸引部１５は、例えば、不図示の吸引用ポンプ及び当該吸引用ポンプを駆動する吸引用モータ（電動機）を含んで構成されている。吸引用ポンプが生じた負圧によって吸引された排泄物（又は洗浄に利用された水）は、例えば、タンク２５に貯留される。タンク２５は、例えば、装置本体１３の筐体に対して着脱可能とされており、タンク２５に貯留された排泄物は、タンク２５の運搬によって便所等へ運ばれる。タンク２５は、例えば、複数回分の排泄物を貯留できる大きさとされている。
【００２５】
送水部１７は、例えば、不図示の送水用ポンプ及び当該送水用ポンプを駆動する送水用モータ（電動機）を含んで構成されている。送水用ポンプから送出された水は、例えば、カップ７内に配された不図示のノズルから所定の圧力及び範囲で股間等に向けて噴射される。送水部１７は、温水を送出できるように、ヒータ及び／又は温水貯留用タンクを有していることが好ましい。なお、ここでいう送水部１７が送出する水は、真水に限定されず、例えば、洗浄、除菌乃至は消臭のための薬剤等を含むものであってもよい。
【００２６】
送風部１９は、例えば、不図示のファンを含んで構成されている。ファンから送出された空気は、例えば、カップ７内に配された不図示のノズルから所定の圧力及び範囲で股間等に向けて吹き付けられる。送風部１９は、温風を送出できるように、ヒータを有していることが好ましい。なお、ここでいう送風部１９が送出する空気は、装置の周囲等の空気と同一の構成のものに限定されず、例えば、除菌乃至は消臭のための薬剤等を含むものであってもよい。
【００２７】
制御部２１は、例えば、ケーブル１１を介してカップ７の不図示の感知センサからの信号を受信し、その信号に基づいて排泄物の有無を判定する判定部２３を有している。なお、感知センサは、小便用及び大便用に２つ設けられ、ケーブル１１も２本とされてよい。
【００２８】
制御部２１は、判定部２３において排泄物があると判定されると、排泄物の吸引、股間等の洗浄、股間等の乾燥が順に行われるように、吸引部１５、送水部１７及び送風部１９を制御する。なお、制御部２１は、股間等の乾燥後、カップ７内が適宜な時期に換気されるように送風部１９を制御してもよい。
【００２９】
上記の他、排泄物処理装置５は、例えば、ユーザの操作を受け付けて、操作に応じた信号を制御部２１に入力する不図示の入力装置、排泄物処理装置５の運転状態等をユーザに示す表示装置等を有している。また、排泄物処理装置５は、カップ７の傾斜を検出するセンサ、排気専用のホース等を有していてもよい。
【００３０】
図２（ａ）及び図２（ｂ）は排泄物処理装置５のタンク２５の使用態様を説明するための模式的な断面図である。
【００３１】
タンク２５は、例えば、上方側が開放されたタンク本体２７と、タンク本体２７の上方の開口を塞ぐ蓋２９とを有している。タンク２５には、不図示のポンプによって吸引された排泄物等１０１（排泄物（大小の便）及び洗浄に利用された水を含む）をタンク２５内へ導く導入路部材３１がタンク本体２７の上方部位又は蓋２９（図では前者）に接続されている。導入路部材３１は、タンク２５に対して、又は、ポンプ側からの流路に対して着脱可能とされている。なお、図では、導入路部材３１はタンク２５内に突出しているが、必ずしも突出する必要はない。これらの各部材は、樹脂又は金属等の適宜な材料によって構成されている。
【００３２】
タンク２５内には、排泄物等１０１（別の観点では、送水された水を含む排泄物等１０１に含まれる水分）のジェル化及び粘度の増加の少なくとも一方の作用を生じる処理剤１０３が配されている。
【００３３】
排泄物等１０１をジェル化させる処理剤１０３としては、例えば、吸水性ポリマー（吸水性樹脂）が挙げられる。吸水性ポリマーとしては、例えば、合成ポリマー系及び天然物由来系のものが挙げられる。合成ポリマー系のものとしては、例えば、ポリアクリル酸塩系、ポリスルホン酸塩系、無水マレイン酸塩系、ポリアクリルアミド系、ポリビニルアルコール系及びポリエチレンオキシド系のものが挙げられる。天然物由来系のものとしては、例えば、ポリアスパラギン酸塩系、ポリグルタミン酸塩系、ポリアルギン酸塩系、デンプン系及びセルロース系のものが挙げられる。なお、おむつ等においてよく利用されているものとしては、ポリアクリル酸ナトリウムが知られている。
【００３４】
排泄物等１０１の粘度を増加させる処理剤１０３としては、例えば、増粘剤が挙げられる。増粘剤としては、例えば、合成系及び天然系のものが挙げられる。合成系のものとしては、例えば、ビニル系、ポリエステル系、ポリアミド系、ポリエーテル系、ポリグリコール系、ポリビニルアルコール系、ポリアルキレンオキサイド系及びポリアクリル酸系のものが挙げられる。天然系のものとしては、例えば、セルロース系及び蛋白質系のものが挙げられる。
【００３５】
なお、処理剤１０３は、吸水性ポリマー及び増粘剤が混合されたものであってもよい。
【００３６】
処理剤１０３は、例えば、粒子状乃至は粉末状である。処理剤１０３は、例えば、タンク本体２７の底面に直接に配されている。処理剤１０３は、水溶性の処理剤用袋１０５（後述する図３参照）に小分けされて、タンク本体２７の底面に配置されていてもよい。処理剤１０３の量は、例えば、排泄物等１０１がタンク本体２７に満たされたときに全ての排泄物等１０１のジェル化又は粘度の増加が可能となるように、タンク本体２７の容量等に応じて設定されている。
【００３７】
図２（ａ）に示すように、排泄物等１０１（送水された水を含む）が導入路部材３１からタンク２５へ流し込まれると、図２（ｂ）に示すように、排泄物等１０１は、処理剤１０３に触れることにより、ジェル化され、又は、粘度が増加し、処理済排泄物１０７になる。
【００３８】
以上のとおり、本実施形態に係る排泄物処理方法は、おむつ３の股部３ｃに形成された開口を塞ぐカップ７を介して吸引された排泄物等１０１をタンク２５に貯留する排泄物処理方法であって、タンク２５内に、排泄物等１０１のジェル化及び排泄物等１０１の粘度の増加の少なくとも一方の作用を生じる処理剤１０３を配置する手順を有する。
【００３９】
従って、タンク２５を運搬したり、タンク２５から排泄物を出したりするときに、排泄物が飛散することが抑制される。その結果、例えば、排泄物処理装置５が設置された建物、及び、介護者の衣服等を清潔に保つことができ、ひいては、衛生的である。
【００４０】
＜第２の実施形態＞
第２の実施形態の説明に先立って、第１の実施形態において、タンク本体２７の形状及び大きさ、処理剤１０３の種類及び量、並びに、排泄物等１０１の内容（水分の比率等）の各種条件によっては生じるおそれがある不都合について、図２（ｂ）及び図２（ｃ）を参照して説明する。
【００４１】
上述のように、処理前の排泄物等１０１がタンク本体２７に流し込まれると（図２（ａ））、排泄物等１０１は処理剤１０３に触れ、ジェル化し、又は、粘度が増加して、処理済排泄物１０７になる。この際、例えば、処理剤１０３が比較的高く積もっているなどすると、上方に位置する処理剤１０３のみが処理前の排泄物等１０１に触れ、ジェル化又は粘度の増加に寄与し、下方に埋もれている処理剤１０３は排泄物等１０１に触れず、そのまま残る。
【００４２】
その後、再び処理前の排泄物等１０１がタンク本体２７に流し込まれると、図２（ｃ）に示すように、処理前の排泄物等１０１は、処理済排泄物１０７に阻まれて、底に残った処理剤１０３に触れることが難しい。その結果、例えば、処理前の排泄物等１０１は、そのままタンク本体２７に貯留することになる。また、処理前の排泄物等１０１をジェル化等できたとしても、未使用な（無駄な）処理剤１０３が生じることになる。
【００４３】
図３（ａ）〜図３（ｃ）は第２の実施形態に係る排泄物処理装置５のタンク２５の使用態様を説明するための模式的な断面図である。
【００４４】
処理剤１０３は、タンク本体２７の壁部２７ａ（壁面）に配され、これにより（処理剤１０３が積もることによってではなく）、処理剤１０３は、高さ方向の複数位置乃至は所定範囲に配されている。具体的には、例えば、処理剤１０３は水溶性の処理剤用袋１０５に入れられ、処理剤用袋１０５は、高さ方向の位置を互いに異ならせつつ、壁部２７ａに貼り付けられている。
【００４５】
処理剤用袋１０５は、例えば、水溶紙乃至は水溶性フィルムから構成される。これらの材料としては、例えば、ポリビニルアルコール系、セルロース系、ポリアルギン酸系、ポリ乳酸系及びポリアルキレンオキサイド系が挙げられる。なお、処理剤用袋１０５は、水溶性とまでは言えないが、破れやすく、便所に流せるもの（例えばトイレットペーパー）によって構成されていてもよい。処理剤用袋１０５の大きさ及び形状等は適宜に設定されてよい。
【００４６】
処理剤用袋１０５のタンク本体２７に対する接着は、例えば、タンク本体２７を洗浄するときに容易にタンク本体２７から除去できる接着剤（粘着剤を含む）乃至は粘着テープ（両面テープを含む）を用いて行うことが好ましい。例えば、水溶性の接着剤乃至は粘着テープを用いることが好ましい。水溶性の接着剤（糊）としては、例えば、ポリビニルアルコール系、セルロース系、デンプン系及びアラビアゴム系のものが挙げられる。水溶性の粘着テープは、例えば、水溶紙又は水溶性フィルムと、水溶性の接着剤とが組み合わされて構成される。
【００４７】
また、処理剤１０３は、第１の実施形態よりも少ない量で、タンク本体２７の底に配置されている。ただし、本実施形態では、タンク本体２７の底には処理剤１０３を配置せずに、壁部２７ａにのみ、処理剤１０３を配置するようにしてもよい。
【００４８】
本実施形態におけるタンク２５全体における処理剤１０３の量は、例えば、第１の実施形態におけるタンク２５全体における処理剤１０３の量と同等である。すなわち、処理剤１０３の量は、排泄物等１０１がタンク本体２７に満たされたときに全ての排泄物等１０１のジェル化又は粘度の増加が可能となるように、タンク本体２７の容量等に応じて設定されている。
【００４９】
次に、このように処理剤１０３が配されたタンク２５の作用を説明する。
【００５０】
まず、図３（ａ）に示すように、排泄物等１０１が導入路部材３１からタンク２５へ流し込まれる。そうすると、図３（ｂ）に示すように、排泄物等１０１は、処理剤１０３に触れてジェル化又は粘度が増加し、処理済排泄物１０７になる。この際、下方に配置された処理剤１０３から順に処理前の排泄物等１０１に触れる。
【００５１】
具体的には、まず、処理前の排泄物等１０１は、タンク本体２７の底に配された処理剤１０３に触れ、これにより、ジェル化し、又は、粘度が増加する。続けて、又は、一旦停止後再び、処理前の排泄物等１０１がタンク本体２７に流し込まれると、処理前の排泄物等１０１の上面（水面）は、タンク本体２７の壁部２７ａの下方に配置された処理剤用袋１０５に触れ、処理剤用袋１０５を溶かし（又は破り）、処理剤用袋１０５に内包されていた処理剤１０３に触れる。これにより、処理前の排泄物等１０１のジェル化又は粘度の増加が継続される。その後、同様に、下方に位置する処理剤用袋１０５から順に処理前の排泄物等１０１に触れる。
【００５２】
従って、図３（ｃ）に示すように、最終的に、全ての処理前の排泄物等１０１は、ジェル化又は粘度の増加がなされることになる。換言すれば、処理剤１０３が未使用のまま残ることが抑制される。
【００５３】
実際には、処理前の排泄物等１０１は、ポンプによって吸引されてタンク２５に収容されることから、ある程度の勢いで導入路部材３１から噴出され、壁部２７ａに当たる。その結果、壁部２７ａに配された処理剤１０３は、処理前の排泄物等１０１をタンク２５に流し始めた当初から、処理前の排泄物等１０１に触れる。すなわち、全ての処理剤１０３が、下方に位置するものから順に処理前の排泄物等１０１に触れるような、理想的な作用が生じるとは限らない。しかし、このような場合であっても、第１の実施形態のように、タンク本体２７の底にのみ処理剤１０３を配置している場合に比較して、処理剤１０３が未使用の状態で残ることは抑制される。
【００５４】
＜第３の実施形態＞
図４（ａ）は、第３の実施形態に係る排泄物処理装置５のタンク２５の使用態様を説明するための模式的な断面図である。
【００５５】
第３の実施形態では、タンク２５内に排泄物等１０１を直接に収容するのではなく、タンク２５内に不透水性の排泄物用袋１１１を配置し、排泄物用袋１１１に排泄物等１０１を収容するようにしている点が第１及び第２の実施形態と相違する。また、この相違に対応して、処理剤１０３は、排泄物用袋１１１内に配置されている。
【００５６】
排泄物用袋１１１は、例えば、可撓性を有する樹脂によって構成されており、タンク本体２７内に広がるのに十分な大きさを有している。排泄物用袋１１１には、市販のゴミ袋を使用することも可能である。そして、排泄物用袋１１１は、例えば、開口を上方に向けて、開口縁部等の適宜な部位がタンク本体２７に固定されている。排泄物用袋１１１の開口の上方には、導入路部材３１が位置している。なお、排泄物用袋１１１の固定方法は、嵌合、係合又は磁力を用いるものなど、適宜な方法とされてよい。また、排泄物用袋１１１をタンク本体２７と蓋２９とで挟み、導入路部材３１を排泄物用袋１１１の適宜な位置に形成した開口に挿入してもよい。
【００５７】
処理剤１０３の配置態様は、第１の実施形態のように排泄物用袋１１１の底のみに処理剤１０３を配置する態様であってもよいし、第２の実施形態のように排泄物用袋１１１の側面部分１１１ａ（タンク２５内にて高さ方向に延びる部材）に処理剤１０３を配置する態様であってもよい。図４（ａ）では、第２の実施形態のように、側面部分１１１ａに処理剤１０３を配置しつつ、底にも比較的（底のみに配置する場合に比較して）少量の処理剤１０３を配置する態様を例示している。
【００５８】
第３の実施形態によっても、第１及び第２の実施形態と同様に、タンク２５を運搬したり、タンク２５から排泄物を出したりするときに、排泄物が飛散することが抑制される。
【００５９】
また、第３の実施形態では、タンク２５を運搬するのではなく、排泄物用袋１１１をタンク２５から取り出して運搬することもできる。その結果、例えば、タンク２５は、運搬可能なものとされる必要がなくなるから、タンク２５乃至は導入路部材３１の着脱機構は不要となり、コスト削減が図られる。また、例えば、タンク２５よりも軽い排泄物用袋１１１を運搬すればよくなるから、介護者の負担が軽減される。また、排泄物を便所に流すのではなく、ジェル化又は粘度が増加された排泄物を排泄物用袋１１１と共にゴミとして回収し、焼却する等の処理も可能となる。なお、排泄物用袋１１１を運搬する場合においても、排泄物がジェル化され、又は、排泄物の粘度が増加されていることにより、運搬等において排泄物が飛散することが抑制される。
【００６０】
＜第４の実施形態＞
図４（ｂ）は、第４の実施形態に係る排泄物処理装置５のタンク２５の使用態様を説明するための模式的な断面図である。
【００６１】
第４の実施形態では、第３の実施形態と同様に、タンク２５内に不透水性の排泄物用袋１２１を配置している。ただし、排泄物用袋１２１は、導入路部材３１に接続される流入部１２１ａに逆流防止機能を有している。
【００６２】
例えば、流入部１２１ａは、その内側に２枚のフィルム１２３を有している。２枚のフィルム１２３は、一端側が流入部１２１ａの内面に固定され、他端側は、排泄物用袋１２１の内部側へ位置して自由端とされている。流入部１２１ａに排泄物が流入するときは、想像線（２点鎖線）で示すように、２枚のフィルム１２３は、排泄物によって押し開けられ、排泄物用袋１２１の内部への排泄物の流れを許容する。一方、排泄物用袋１２１内の空気又は排泄物が流入部１２１ａを介して外部へ流れようとすると、２枚のフィルム１２３が互いに密着し、空気又は排泄物の流出を阻止する。
【００６３】
排泄物用袋１２１には、不図示のポンプによって、排泄物だけでなく、空気も流れ込む。そこで、排泄物用袋１２１には、空気を排気するための排気部１２１ｂが形成されている。排気部１２１ｂは、例えば、排泄物用袋１２１の本体部分の上方に開口が形成され、この開口が不透水性及び通気性を有するフィルタ１２５によって塞がれることによって構成されている。
【００６４】
第４の実施形態によっても、第１及び第２の実施形態と同様に、タンク２５を運搬したり、タンク２５から排泄物を出したりするときに、排泄物が飛散することが抑制される。さらに、逆流防止機能によって、排泄物が飛散することが確実に抑制される。
【００６５】
本発明は、以上の実施形態に限定されず、種々の態様で実施されてよい。
【００６６】
処理剤を高さ方向の複数位置乃至は所定範囲に（処理剤又は処理剤用袋の積み重ねによってではなく）配置する方法は、処理剤用袋をタンクの壁部又は排泄物用袋の側面部に貼り付ける方法に限定されない。例えば、タンクの壁部に処理剤用袋を引っ掛けるフックを設けたり、タンクの壁部に処理剤用袋を載置する棚を設けたり、タンクの壁面に処理剤を直接に配置する棚を設けたりしてもよい。また、タンク内に、柱状の部材、又は、タンクの天井から垂下された部材（いずれもタンク内にて高さ方向に延びる部材の一例）を設け、このような部材に処理剤を保持させてもよい。
【００６７】
なお、処理剤がタンクの壁部又はタンク内にて高さ方向に延びる部材に保持されることによって高さ方向の複数位置乃至は所定範囲に亘って配置されるという場合、タンクの底と、壁部又は前記部材の１個所との合計２箇所に配置されている場合を含むものとする。
【００６８】
タンクに直接かかわらない部分の構成も適宜なものとされてよい。例えば、排泄物処理装置は、排泄物の有無を検出するセンサを有していなくてもよい。そして、排泄物処理装置は、ユーザの入力装置に対する操作に応じて、吸引、送水（洗浄）及び送風（乾燥）を行ってもよい。
【符号の説明】
【００６９】
１…おむつ付排泄物処理装置、３…おむつ、３ｃ…股部、３ｈ…開口、５…排泄物処理装置、７…カップ、１３…装置本体、１０１…排泄物等、１０３…処理剤。
【図１】
2016034422.tif 000003
【図２】
2016034422.tif 000004
【図３】
2016034422.tif 000005
【図４】
2016034422.tif 000006